(57)【要約】【課題】入力画像をフレーム周波数変換して表示する液晶表示装置において、交流駆動による液晶パネルの信頼性の向上と高画質表示とを両立させる。【解決手段】画像信号に基づき画像を表示する表示手段と、第１の画像信号から前記第１の画像信号のフレーム周波数の奇数倍のフレーム周波数の第２の画像信号を生成する生成手段と、前記第２の画像信号に基づきフレーム毎に電圧を反転させた駆動信号により前記表示手段を交流駆動する駆動手段と、前記第１の画像信号のフレーム境界位置に対応する前記第２の画像信号のフレーム境界位置の前後のフレームの少なくともいずれかに対し、前記交流駆動における正極性電圧と負極性電圧との差異を小さくする画像処理を行う処理手段と、を備えることを特徴とする表示装置。【選択図】図５
2017102190.tif 000002
【特許請求の範囲】
【請求項１】
画像信号に基づき画像を表示する表示手段と、
第１の画像信号から前記第１の画像信号のフレーム周波数の奇数倍のフレーム周波数の第２の画像信号を生成する生成手段と、
前記第２の画像信号に基づきフレーム毎に電圧を反転させた駆動信号により前記表示手段を交流駆動する駆動手段と、
前記第１の画像信号のフレーム境界位置に対応する前記第２の画像信号のフレーム境界位置の前後のフレームの少なくともいずれかに対し、前記交流駆動における正極性電圧と負極性電圧との差異を小さくする画像処理を行う処理手段と、
を備えることを特徴とする表示装置。
【請求項２】
前記処理手段は、前記画像処理として、前記第１の画像信号のフレーム境界位置に対応する前記第２の画像信号のフレーム境界位置の前後のフレームの同じ座標の画素値を共通の値とする処理を行う請求項１に記載の表示装置。
【請求項３】
前記処理手段は、前記第１の画像信号のフレーム周波数の１／２の周波数で前記画像処理を行う請求項２に記載の表示装置。
【請求項４】
前記共通の値は、前記第１の画像信号のフレーム境界位置に対応する前記第２の画像信号のフレーム境界位置の前後のフレームの同じ座標の画素値の平均値である請求項２又は３に記載の表示装置。
【請求項５】
前記共通の値は、前記第１の画像信号のフレーム境界位置に対応する前記第２の画像信号のフレーム境界位置の前後のフレームの同じ座標の画素値を重み付け加算して算出した値である請求項２又は３に記載の表示装置。
【請求項６】
前記処理手段は、前記画像処理に加えて、前記第１の画像信号のフレーム境界位置に対応する前記第２の画像信号のフレーム境界位置の前後において、前記駆動信号に対し、前記交流駆動における正極性電圧と負極性電圧との差異を小さくする信号処理を行う請求項１に記載の表示装置。
【請求項７】
前記処理手段は、
前記画像処理として、前記第１の画像信号のフレーム境界位置に対応する前記第２の画像信号のフレーム境界位置の前後のフレームのいずれか一方のフレームを黒画像とする処理を行うとともに、
前記信号処理として、前記黒画像のフレームの前後のフレームの駆動電圧の極性を逆にする処理を行う請求項６に記載の表示装置。
【請求項８】
前記第１の画像信号は、１フレームに３Ｄ画像を構成する左目用画像と右目用画像の情報が含まれる画像信号であり、
前記生成手段は、前記第２の画像信号として、前記第１の画像信号の１フレームの左目用画像に対応する１又は複数の左目用画像のフレームと、前記第１の画像信号の１フレームの右目用画像に対応する１又は複数の右目用画像のフレームとが、前記左目用画像のフレームと前記右目用画像のフレームのフレーム数の合計が奇数となるように連続する画像信号を生成し、
前記処理手段は、前記画像処理として、前記第１の画像信号のフレーム境界位置に対応する前記第２の画像信号のフレーム境界位置の前後のフレームの少なくともいずれかのフレームを黒画像とする処理を行う請求項１に記載の表示装置。
【請求項９】
前記処理手段は、前記画像処理として、前記第１の画像信号のフレーム境界位置に対応する前記第２の画像信号のフレーム境界位置の前後のフレームを黒画像とする処理を行う請求項８に記載の表示装置。
【請求項１０】
前記処理手段は、前記第１の画像信号のフレーム周波数の１／２の周波数で前記画像処理を行う請求項９に記載の表示装置。
【請求項１１】
前記処理手段は、前記画像処理に加えて、前記第１の画像信号のフレーム境界位置に対応する前記第２の画像信号のフレーム境界位置の前後において、前記駆動信号に対し、前記交流駆動における正極性電圧と負極性電圧との差異を小さくする信号処理を行う請求項８に記載の表示装置。
【請求項１２】
前記処理手段は、
前記画像処理として、前記第１の画像信号のフレーム境界位置に対応する前記第２の画像信号のフレーム境界位置の前後のフレームのいずれか一方のフレームを黒画像とする処理を行うとともに、
前記信号処理として、前記黒画像のフレームの前後のフレームの駆動電圧の極性を逆にする処理を行う請求項１１に記載の表示装置。
【請求項１３】
前記生成手段は、前記第２の画像信号として、前記第１の画像信号のフレーム周波数の奇数倍のフレーム周波数の画像信号を生成する処理と、前記第１の画像信号のフレーム周波数の偶数倍のフレーム周波数の画像信号を生成する処理と、を切り替え可能であり、
前記処理手段は、前記生成手段により、前記第２の画像信号として、前記第１の画像信号のフレーム周波数の奇数倍のフレーム周波数の画像信号が生成された場合に、前記画像処理を行う請求項１〜１２のいずれか１項に記載の表示装置。
【請求項１４】
画像信号に基づき画像を表示する表示手段を備える表示装置の制御方法であって、
第１の画像信号から前記第１の画像信号のフレーム周波数の奇数倍のフレーム周波数の第２の画像信号を生成する生成工程と、
前記第２の画像信号に基づきフレーム毎に電圧を反転させた駆動信号により前記表示手段を交流駆動する駆動工程と、
前記第１の画像信号のフレーム境界位置に対応する前記第２の画像信号のフレーム境界位置の前後のフレームの少なくともいずれかに対し、前記交流駆動における正極性電圧と負極性電圧との差異を小さくする画像処理を行う処理工程と、
を有することを特徴とする表示装置の制御方法。
【発明の詳細な説明】
【技術分野】
【０００１】
本発明は表示装置及びその制御方法に関する。
【背景技術】
【０００２】
液晶パネルを備える表示装置において、液晶パネルを駆動する信号の電圧をフレーム毎に反転させる交流駆動を行うことで、焼き付きを抑制し信頼性を高める技術と高画質表示技術とを両立させることを図った先行技術がある。例えば、特許文献１には、シネマ画像を倍速表示する際に、テレシネ変換によるシネマモードと、繰り返し表示によるフィルムモードとを、画像に応じて適応的に切り換えて交流駆動を行う技術が開示されている。特許文献２には、特許文献１のフィルムモードにおいて、シネマ画像のフレーム境界部分に黒画像を挿入する画像処理を行うことで交流駆動する技術が開示されている。
【先行技術文献】
【特許文献】
【０００３】
【特許文献１】特開２００７−４７４７６号公報
【特許文献２】特開２００９−３００７８５号公報
【発明の概要】
【発明が解決しようとする課題】
【０００４】
特許文献１の技術では、通常はフィルムモードで駆動し、シーンチェンジを検出した場合にシネマモードで駆動する適応的な制御を行う。この技術では、駆動モードの切り替えはフレーム単位で行われることになるため、動画像の場合、画素単位ではフレーム間の差分が異なる場合ある。このため、全ての画素でＤＣバランスを保持した交流駆動を行うことができない。これに対しシーンチェンジの検出条件を厳しくすることも考えられるが、動画の場合には、シーンチェンジの検出頻度が高くなり、シネマモードで駆動する期間が多くなる。液晶パネルの信頼性とシネマ画像の高画質表示はトレードオフの関係にあった。
【０００５】
特許文献２に示すようなフィルムモードで黒挿入する駆動方式は、特許文献１と比較して、入力画像によらずシネマ画像の高画質表示が可能となる。しかしながら、黒挿入時の極性反転の規則性により、必ず黒挿入フレームの前後のフレームが同極性になってしまうため、ネガポジ非対称な電圧印加（時間積分）が生じ、イオンが偏り易くなり、焼き付きが生じる場合があった。
【０００６】
本発明は、入力画像をフレーム周波数変換して表示する液晶表示装置において、交流駆動による液晶パネルの信頼性の向上と高画質表示とを両立させる技術を提供することを目的する。
【課題を解決するための手段】
【０００７】
本発明は、画像信号に基づき画像を表示する表示手段と、
第１の画像信号から前記第１の画像信号のフレーム周波数の奇数倍のフレーム周波数の第２の画像信号を生成する生成手段と、
前記第２の画像信号に基づきフレーム毎に電圧を反転させた駆動信号により前記表示手段を交流駆動する駆動手段と、
前記第１の画像信号のフレーム境界位置に対応する前記第２の画像信号のフレーム境界位置の前後のフレームの少なくともいずれかに対し、前記交流駆動における正極性電圧と負極性電圧との差異を小さくする画像処理を行う処理手段と、
を備えることを特徴とする表示装置である。
【０００８】
本発明は、画像信号に基づき画像を表示する表示手段を備える表示装置の制御方法であって、
第１の画像信号から前記第１の画像信号のフレーム周波数の奇数倍のフレーム周波数の第２の画像信号を生成する生成工程と、
前記第２の画像信号に基づきフレーム毎に電圧を反転させた駆動信号により前記表示手段を交流駆動する駆動工程と、
前記第１の画像信号のフレーム境界位置に対応する前記第２の画像信号のフレーム境界位置の前後のフレームの少なくともいずれかに対し、前記交流駆動における正極性電圧と負極性電圧との差異を小さくする画像処理を行う処理工程と、
を有することを特徴とする表示装置の制御方法である。
【発明の効果】
【０００９】
本発明は、入力画像をフレーム周波数変換して表示する液晶表示装置において、交流駆動による液晶パネルの信頼性の向上と高画質表示とを両立させることが可能となる。
【図面の簡単な説明】
【００１０】
【図１】従来の液晶表示装置の構成を示すブロック図
【図２】６０Ｈｚ入力を２倍速で１２０Ｈｚ駆動する処理のタイミング図
【図３】２４Ｈｚ入力をテレシネ変換と２倍速で１２０Ｈｚ駆動するタイミング図
【図４】２４Ｈｚ入力を５倍速で１２０Ｈｚ駆動する処理のタイミング図
【図５】実施例１における液晶表示装置の構成を示すブロック図
【図６】実施例１における境界処理部の構成を示すブロック図
【図７】実施例１における境界処理のタイミング図
【図８】実施例２における液晶表示装置の構成を示すブロック図
【図９】実施例２における境界処理部の構成を示すブロック図
【図１０】実施例２における境界処理のタイミング図
【図１１】実施例３における液晶表示装置の構成を示すブロック図
【図１２】２４Ｈｚ入力を３Ｄ表示で９６Ｈｚ駆動する処理のタイミング図
【図１３】実施例３における境界処理のタイミング図
【図１４】実施例４における境界処理のタイミング図
【図１５】各種入力フォーマットに対応する処理のフローチャート
【発明を実施するための形態】
【００１１】
以下、本発明の実施例を説明する。この実施例では、液晶パネルを備えた液晶表示装置に本発明を適用した例について説明する。本発明は、液晶テレビ、液晶モニタ、液晶プロジェクタ等の液晶表示装置に適用可能である。液晶プロジェクタに適用する場合、単板式、３板式等、どのような方式であっても良く、透過型、反射型のどちらの表示方式にも適用することができる。そして、液晶パネルの駆動方式には様々な方式があるが、本実施例は、駆動電圧をフレーム単位で極性反転した交流駆動の駆動方式を例に説明する。
【００１２】
液晶表示装置で表示する画像信号は、シネマ画像を例として説明する。ここでは、入力されるフレーム周波数２４Ｈｚの画像信号を５倍のフレーム周波数１２０Ｈｚの画像信号に変換して表示する例を説明する。しかしながら、これは一例である。本発明は、入力される第１の画像信号から、第１の画像信号のフレーム周波数の奇数倍のフレーム周波数の第２の画像信号を生成し、第２の画像信号に基づきフレーム毎に電圧を反転させた九度信号により液晶パネルを交流駆動する表示装置であれば適用可能である。例えば、入力画像のフレーム周波数２４Ｈｚを３倍のフレーム周波数７２Ｈｚに変換して表示する場合や、入力画像のフレーム周波数４８Ｈｚを５倍のフレーム周波数２４０Ｈｚに変換して表示す
る場合にも本発明は適用できる。
【００１３】
（実施例１）
まず、図１のブロック図を用いて、本発明の実施例を説明するための比較例としての液晶表示装置の構成を説明する。
入力部１は、アナログ画像入力、デジタル画像入力、ＨＤＭＩ（登録商標），ＳＤＩ，ＤＶＩ，ＬＶＤＳ等の高速シリアル規格の入力、２Ｄ／３Ｄ等のフォーマット形態等の各種の画像信号の入力を受け付ける。
【００１４】
フォーマット変換部２は、画像信号のフォーマット変換にかかる処理を行う。フォーマット変換部２は、例えば、フレーム周波数変換、Ｉ／Ｐ変換、拡大縮小スケーラ、２４Ｈｚシネマ画像を６０Ｈｚに変換するテレシネ変換、更には、それらを組み合わせた処理等を行う。フォーマット変換部２は、ＨＤＭＩ規格の３Ｄシネマ画像信号のパッキング方式（FramePacking、Side by Side、Top and Bottom）を識別して、倍速でＬ／Ｒフレーム分離するフォーマット変換等も行う。
【００１５】
フレームＮ倍速部３は、メモリ４及びメモリ５が接続され、メモリ４及び５をフレームバッファとして用いることでＮ回の繰り返し再生を行う。N回の繰り返し再生とは、メモ
リ４（又は５）に格納されているデータをN回続けて繰り返し出力することである。
ガンマ変換部６は、液晶パネル８の輝度値と画像信号の値（階調データ）が線形になるように画像信号を変換する。実施例１では、ガンマ変換部６は、液晶パネル８の交流駆動のために正極性（Ｐ）と負極性（Ｎ）用のガンマテーブルをそれぞれ有し、交流駆動の極性に合わせて切り替えられる。
駆動制御部７は、液晶パネル８の駆動制御を行う。実施例１では、液晶パネル８を駆動する電圧をフレーム毎に反転させる交流駆動により液晶パネル８の駆動制御を行う。
液晶パネル８は、駆動制御部７の駆動制御により、画像信号に基づく画像を表示する。
【００１６】
次に、図２の２倍速駆動時のタイミング図を用いて、６０Ｈｚ入力画像を１２０Ｈｚで液晶パネル８に表示する処理について説明する。
図２（ａ）の画像入力は６０Ｈｚのインターレース信号である。Ａ、Ｂ、Ｃ、Ｄは１フィールド毎の画像信号を示している。この入力画像信号は、フォーマット変換部２でＩ／Ｐ変換され、図２（ｂ）の６０Ｈｚプログレッシブ信号として出力される。
【００１７】
図２（ｃ）、図２（ｄ）は、フレームＮ倍速部３によりメモリ４及びメモリ５に書き込まれる画像データのタイミング図である。フレームＮ倍速部３は、１フレーム毎にメモリ４とメモリ５に交互に画像データを書き込む。図２（ｅ）、図２（ｆ）は、フレームＮ倍速部３（この例ではＮ＝２）によりメモリ４及びメモリ５から画像データを読み出すタイミングを示す図である。図２（ｅ）、図２（ｆ）に示すように、フレームＮ倍速部３は、メモリ４に書き込まれた画像データを、書き込み時の周波数の２倍の周波数で読み出す（入力画像の１周期の期間に２回読み出す）ことにより、同じ画像を連続して２回繰り返し出力する。同様に、フレームＮ倍速部３は、メモリ５に書き込まれた画像データを、書き込み時２倍の周波数で連続して２回読み出す。メモリ４及びメモリ５からの読み出しを書き込みの２倍の速度で行い、１フレームの書き込みの間に２フレーム分の画像を読み出すことにより、入力画像のフレーム周波数を２倍にして出力することが可能となる。
【００１８】
フレームＮ倍速部３より出力された１２０Ｈｚの画像信号は、ガンマ変換部６において、フレーム毎に交互に、正極性（Ｐ）駆動用と負極性（Ｎ）駆動用それぞれのガンマテーブルを用いて変換され、図２（ｇ）の出力を得る。
【００１９】
駆動制御部７は、ガンマ変換後の信号の極性と駆動電圧の極性を合わせた液晶パネル８
の交流駆動を行う。駆動制御部７は、駆動電圧の中心電圧を基準として正極性の駆動電圧と負極性の駆動電圧が同じになるように、フレーム毎に電圧を反転させた駆動信号を出力する（図２（ｈ））。駆動電圧の中心電圧をＶｃｏｍとすると、以下の式が成り立つ。
正極性（Ｐ）電圧＋負極性（Ｎ）電圧＝２Ｖｃｏｍ
このように液晶パネル８に対して、フレーム毎に駆動電圧を反転させながら同一の画像を２回表示する交流駆動を行うことにより、ＤＣバランスが保たれ、電荷の偏りで生じる焼き付きを抑制し、液晶パネルの長期的な信頼性が高まる。
【００２０】
ここで、図３のタイミング図を用いて、２４Ｈｚのシネマ画像をテレシネ変換（２−３プルダウン）により１２０Ｈｚに変換して液晶パネルに表示する処理について説明する。
図３（ａ）の画像入力は、オリジナルのシネマ画像のタイミングを示しており、１秒間に２４フレームの画像で構成されている。この信号は、フォーマット変換部２でテレシネ変換（２−３プルダウン）及びＩ／Ｐ変換され、図３（ｂ）の６０Ｈｚプログレッシブ信号として出力される。一般的に、２４Ｈｚのシネマ画像信号を６０Ｈｚの画像信号にテレシネ変換を行う場合には、２−３プルダウンという方法が用いられている。２−３プルダウンとは、シネマ画像信号の１枚のフレームを２回繰り返し出力する処理と３回繰り返し出力する処理とを交互に行うことにより、２４Ｈｚのフレーム周波数を６０Ｈｚのフレーム周波数に変換する処理である。
【００２１】
以下、図２の説明と同様の倍速の交流駆動を行うことで、図３（ｃ）から図３（ｈ）に示すように、テレシネ変換（２−３プルダウン）のシネマモードにおいて、ＤＣバランスを保った１２０Ｈｚの交流駆動を行うことができる。
【００２２】
しかしながら、テレシネ変換（２−３プルダウン）で６０Ｈｚに変換し、６０Ｈｚを２回繰り返し再生することで１２０Ｈｚ化する処理では、２４Ｈｚシネマ画像のフレーム境界と、１２０Ｈｚ出力画像のフレーム境界とがずれることがある。これにより、動画像の内容によっては動きの滑らかさが低下する場合がある。元のシネマ画像では全てのフレームは１／２４秒だが、テレシネ変換された画像では、２回繰り返し出力されたフレームは１／３０秒、３回繰り返し出力されたフレームは１／２０秒となるからである。そのため、毎秒２４コマのフィルムで製作された映画等の独特の質感を忠実に再現するためには、２４Ｈｚの入力画像を５回繰り返し再生し１２０Ｈｚ化する（フィルムモード）が有効である。
【００２３】
そこで、図４のタイミング図を用いて、２４Ｈｚのシネマ画像をフィルムモードで１２０Ｈｚの画像信号に変換して液晶パネルに表示する処理について以下に説明する。
図４（ａ）の画像入力は、オリジナルのシネマ画像のタイミングを示しており、１秒間に２４フレームの画像で構成されている。この画像信号は、フォーマット変換部２で変換されることなく図４（ｂ）がスルーで出力される。
【００２４】
図４（ｃ）、（ｄ）は、フレームＮ倍速部３によりメモリ４及びメモリ５に書き込まれる画像のタイミング図である。フレームＮ倍速部３は、入力画像信号の１フレーム毎にメモリ４とメモリ５に交互にデータを書き込む。図４（ｅ）、（ｆ）は、フレームＮ倍速部３（この例ではＮ＝５）がメモリ４及びメモリ５からデータを読み出すタイミングを示す図である。図４（ｅ）、（ｆ）のように、フレームＮ倍速部３は、メモリ４に書き込まれた画像データを書き込みの周波数の５倍の周波数で５回読み出すことにより、同じ画像データを連続して５回繰り返し出力する。同様に、フレームＮ倍速部３は、次にメモリ５より書き込まれた画像データを連続して５回読み出す。以上のように、メモリ４及びメモリ５からの読み出しを入力信号の５倍の周波数で行い、入力画像信号の１フレームの書き込
みの間に５フレーム分の画像データを読み出すことにより、入力画像のフレーム周波数を５倍にすることが可能となる。
【００２５】
フレームＮ倍速部３より出力された１２０Ｈｚの画像信号は、ガンマ変換部６において、フレーム毎に交互に、正極性（Ｐ）駆動用と負極性（Ｎ）駆動用それぞれのガンマテーブルを用いて変換され、図４（ｇ）の出力を得る。
駆動制御部７は、ガンマ変換後の信号の極性と駆動電圧の極性を合わせた液晶パネル８の反転駆動を行う。図４（ｈ）に示すように、駆動制御部７は、各フレームにおいて、正極性の駆動電圧及び負極性の駆動電圧が同じになるように、交互に電圧を切り換えた駆動信号を液晶パネル８に出力する。
【００２６】
以上のような処理を行うことで、２４Ｈｚの入力画像のフレーム境界位置と１２０Ｈｚの出力画像（表示画像）のフレーム境界位置とを一致させることができるため、画像はスムーズな動きで質感が向上する。しかしながら、液晶パネル８のフレーム反転の交流駆動においては、図４（ｈ）に示すように、入力画像の１／２の周波数（この場合１２Ｈｚ）の頻度で、正極性の電圧と負極性の電圧のバランスに偏りが生じる。例えば、入力画像のフレームＡ由来の５枚の出力画像のフレームのうち５枚目のフレームＡγｐの電圧と、入力画像のフレームＢ由来の５枚の出力画像のフレームのうち１枚目のフレームＢγｎの電圧とは、図４（ｈ）に示すように等しくない。このようなＤＣバランスの偏りが生じると、パネルの信頼性に影響がある。
【００２７】
この問題は、フレーム反転駆動の液晶パネルにおいて、入力画像信号に対して奇数倍速駆動（この場合は５倍速）した場合に起きる特有の課題であって、偶数倍速駆動の場合はＤＣバランスの偏りの問題は生じない。しかしながら、例えば、２４Ｈｚシネマ画像を４倍速駆動により９６Ｈｚで表示する場合は、１２０Ｈｚ駆動と比較してフリッカが視認しやすくなる。また、２４Ｈｚシネマ画像を１０倍速駆動して２４０Ｈｚで表示する場合は、１２０Ｈｚ駆動と比較してフリッカは起こりにくいが、パネルインタフェースやパネル製造でのコストアップの課題がある。従って、奇数倍駆動である５倍速駆動で１２０Ｈｚで表示するニーズがあり、入力画像を５倍速駆動する交流駆動液晶パネルにおいてＤＣバランスの偏りを抑制する方法への要請がある。
【００２８】
そこで、本発明では、この課題への解決手段として、以下に説明する特徴的な駆動方法を提案する。図５は、本発明の実施例１の液晶表示装置の構成を示すブロック図である。前述した比較例の液晶表示装置の全体の構成（図１）との違いは、フォーマット変換部２とフレームＮ倍速部３との間に、境界処理部９がある点である。ここでは、この境界処理部９の処理を中心に前述した比較例との相違点を中心に説明する。
図５において、１０はシステム制御部で、１１のシステムバスを経由して、各機能ブロックと接続されている。各機能ブロックの動作は、システム制御部１０が各機能ブロックにパラメータ設定をすること等により制御される。
【００２９】
システム制御部１０は、論理ロジックのみで構成されていても、ＣＰＵやマイコン、並列演算が可能なプロセッサであってもよい。制御を行うプログラムは図示しないＲＯＭに内蔵されていてもよいし、周辺入出力インタフェースを介して外部から転送されてもよい。また、各ブロックに設定するパラメータに関しては、電源遮断時にも記憶しておく必要があるため、図示しないフラッシュメモリ等の不揮発性メモリに格納し保持できるようになっている。この不揮発性メモリは、ＮＡＮＤタイプやＮＯＲタイプのフラッシュメモリだけではなく、ＥＥＰＲＯＭで合っても、ハードディスクであっても良く、更には、ＳＲＡＭ等の揮発性メモリを電池駆動により不揮発性メモリのように使う構成であってもよい。
【００３０】
実施例１では電源投入時に、システム制御部１０は、前述した不揮発性メモリに格納された初期パラメータを読み出し、システムバス１１に接続された各機能ブロックに、動作を制御するパラメータとして書き込む。システム制御部１０は、ガンマ変換部６に対して、正極性（Ｐ）駆動用のガンマ変換のテーブルデータと負極性（Ｎ）駆動用のガンマ変換のテーブルデータを書き込む。
【００３１】
図７（ａ）の画像入力は、２４Ｈｚのシネマ画像である。この画像信号は、フォーマット変換部２でテレシネ変換（２−３プルダウン）とＩ／Ｐ変換され、図７（ｂ）の６０Ｈｚのプログレッシブ画像信号として出力される。
【００３２】
ここで、境界処理部９の詳細動作について図６を用いて詳しく説明する。境界処理部９はフォーマット変換部２より図７（ｂ）のテレシネ変換（２−３プルダウン）された６０Ｈｚの画像信号１０５を受け取る。境界処理部９は、繰り返し画像の先頭を示す識別信号としてフィールド識別信号１０６も同時に受け取る。このフィールド識別信号１０６は、フォーマット変換部２がテレシネ変換（２−３プルダウン）する際に生成される。テレシネ画像信号１０５は、１０１で１フレーム遅延した画像信号１０７とともに共通化部１０２に入力し、共通化部１０２は画像信号１０５と画像信号１０７の同一座標の画素同士の画素値の平均値を画素値としてもつフレーム間平均化画像１０８を出力する。テレシネ画像１０５とフレーム間平均化画像１０８は、マルチプレクサ１０３に入力し、フィールド識別信号１０６に基づき制御部１０４で生成された境界識別信号１１０に従って、選択出力され、６０Ｈｚ画像出力１０９を得る。
【００３３】
ここで、制御部１０４がフィールド識別信号１０６から境界識別信号１１０を生成する方法について図７を用いて説明する。２−３プルダウンでテレシネ変換する場合、フィールド識別信号１０６は、テレシネ画像における２回繰り返し部の先頭フレーム期間と、３回繰り返し部の先頭フレーム期間とでＨｉとなる。実施例１では、制御部１０４は、３回繰り返し部の先頭フレーム期間のみＨｉとすることで、境界識別信号１１０を生成する。マルチプレクサ１０３は、境界識別信号１１０がＨｉの期間ではフレーム間平均化画像１０８を出力し、それ以外の期間ではテレシネ画像１０５を出力する。
このようにすることで、６０ＨｚのＭＵＸ出力画像１０９は、１２Ｈｚ周期で、オリジナル入力画像（図７（ａ）の２４Ｈｚの画像信号）のフレーム境界位置に対応する位置において、フレーム間平均化画像１０８となる。図７に示すように、ＭＵＸ出力画像１０９は、
Ａ→Ａ→（Ａ＋Ｂ）→Ｂ→Ｂ→Ｃ→Ｃ→（Ｃ＋Ｄ）→Ｄ→Ｄ→・・・
のようになり、テレシネ画像における、オリジナル画像のフレーム境界位置付近のフレーム境界位置のフレームは、当該フレームの前後のフレームから生成されたフレーム（共通フレームという）に置換される。ここで、共通フレームを（Ａ＋Ｂ）と表記したが、共通フレームを生成する共通化部１０２の処理は、以下のような平均値算出処理である。フレームＡの画素位置（ｘ、ｙ）の画素値をＡ（ｘ，ｙ）、フレームＢの画素位置（ｘ、ｙ）の画素値をＢ（ｘ，ｙ）と表すと、共通フレームの画素位置（ｘ、ｙ）の画素値は、
（Ａ（ｘ，ｙ）＋Ｂ（ｘ，ｙ））／２
のように算出される。
なお、共通フレームの画素値は、前後のフレーム間の平均値に限らず、以下のように係数α（０＜α＜１）を用いた重み付け加算で求めた値でも良い。
α・Ａ（ｘ，ｙ）＋（１―α）・Ｂ（ｘ，ｙ）
共通フレームの画素値は、共通フレームの前後のフレームの画素値に基づく補間計算により求められる値であれば、上記の平均値は重み付け加算値に限らない。
【００３４】
以上のようにして境界処理部９から出力された６０Ｈｚの画像信号に対して、上述した図３（ｂ）のテレシネ画像の２倍速処理と同様の処理を行うことで、図７（ｃ）から図７（ｈ）のように、実施例１における１２０Ｈｚの出力画像が得られる。図７（ｇ）は、オリジナルの２４Ｈｚの画像信号（第１の画像信号）のフレーム周波数の奇数倍（５倍）のフレーム周波数をもつ１２０Ｈｚの画像信号（第２の画像信号）を示す。図７（ｇ）に示すように、１２０Ｈｚの出力画像信号では、オリジナルの２４Ｈｚの入力画像信号のフレーム境界位置（例えばフレームＡとフレームＢの境界位置）に対応するフレーム境界位置の前後のフレームが、ともに共通フレームとなっている。実施例１では、共通フレーム生成のためのフレーム間平均化処理のために１フレームの遅延を行っている。そのため、オリジナルの入力画像信号のフレーム境界位置に対応する出力画像信号のフレーム境界位置は、実際には、オリジナルの入力画像信号のフレーム境界位置の１フレーム後のタイミングになっている。これはＭＵＸ出力画像１０９の生成方法に依存するずれであり、「対応する位置」とオリジナルの画像信号のフレーム境界位置との位置関係はこれに限らない。
実施例１では、オリジナルの画像信号のフレーム境界位置に対応する出力画像信号のフレーム境界位置の前後のフレームを共通のフレームにする画像処理を、オリジナルの入力画像信号のフレーム周波数の１／２の周波数で行っている。従って、図７（ｇ）の出力画像信号では、１２Ｈｚで共通フレームが現れる。その結果、図７（ｈ）に示すように、１２０Ｈｚのフレーム反転の交流駆動において、正極性電圧と負極性電圧との差異が小さくなり、奇数倍速駆動においてＤＣバランスを保持した交流駆動が可能となる。
【００３５】
ここで、実施例１では、入力画像信号のフレーム周波数の１／２の周波数で、上記のＤＣバランス保持を目的として正極性電圧と負極性電圧との差異を小さくするための画像処理を行っている。そのため、共通フレームが挿入されるタイミングから１／２４秒後のフレーム境界位置（例えば、オリジナルのフレームＢとフレームＣの境界位置に対応するフレーム境界位置）には、共通フレームは挿入されない。しかしながら、人間の視覚において、上記画像処理に近い平均化処理が行われる。そのため、画像処理の平均化処理と視覚上での平均化処理が交互に起こったとしても、最終的な出力画像の見えとしては、２４Ｈｚを単純に５回繰り返し再生し１２０Ｈｚ化したフィルムモードと同等になる。よって、実施例１によれば、２４Ｈｚのフィルム画像入力を奇数倍速フレーム周波数変換して表示する液晶表示装置において、高画質表示と交流駆動による液晶パネルの信頼性の向上とを両立することができる。
【００３６】
より高画質表示のためには、共通化部１０２で共通フレームを生成する処理は、人間の視覚的な平均化と同等な効果が得られるような演算を行うことがより望ましい。
実施例1によれば、シネマ画像をフィルムモードと同等の高画質な見えになるようフレ
ーム周波数変換するとともに、変換後の画像信号に基づき液晶パネルの、正極性電圧と負極性電圧ができるだけバランスするように液晶パネルの交流駆動を行うことができる。
【００３７】
以上、本発明の実施例１について説明したが、本発明はこれらの実施例に限定されず、その要旨の範囲内で種々の変形、及び、変更が可能である。
例えば、実施例１では２４Ｈｚのシネマ画像信号が入力部１に入力され、フォーマット変換部２においてテレシネ変換され、フィールド識別信号１０６とともに境界処理部３に受け渡す処理について説明した。しかし、テレシネ変換された６０Ｈｚのインターレース信号が入力部１に入力される場合も実施例１の構成が適用できる。この場合は、入力部１にテレシネ画像信号の検知機能を実装し、２−３プルダウンされたフィールドの識別を行った後に、フォーマット変換部２にて、Ｉ／Ｐ変換を行うように処理すれば、境界処理部
９以降は同様な処理を適用することは可能である。
また、実施例１では、入力画像信号（第１の画像信号）のフレーム境界位置に対応する出力画像信号（第２の画像信号）のフレーム境界位置の前後のフレームの両方を共通フレームとする画像処理を行う例を説明した。そして、この画像処理を第１の画像信号のフレーム周波数の１／２の周波数で行う例を説明した。しかし、この画像処理を前記前後のフレームのどちらかに行う用にしても良い。この場合、この画像処理を第１の画像信号のフレーム周波数と同じ周波数で行っても良い。この変形例については後述の実施例で説明する。
【００３８】
（実施例２）
実施例１において、フィルムモードと同等の見えを実現しかつ液晶交流駆動における正極性電圧と負極性電圧のバランスをとるために入力画像の１／２周波数でフレーム境界前後フレームを共通画像化する処理について説明した。本発明の実施例２では、フレーム境界に黒挿入することにより同等の効果を達成できる構成について、図８のブロック図と図１０のタイミング図を用いて以下に説明する。
【００３９】
ここで、実施例２に特徴的な駆動方法について以下に説明する。図８は、本発明の実施例２の液晶表示装置の構成を示すブロック図である。実施例１の構成との違いは、フレームＮ倍速部３とガンマ変換部６の間に、境界処理部９がある点である。
【００４０】
図１０（ａ）の画像入力は、２４Ｈｚのシネマ画像信号である。この画像信号は、フォーマット変換部２からフレームＮ倍速部３まで、前述した図４と同様の処理を行うことで、１フレームの書き込みの間に５フレーム分の画像を読み出すことにより、入力画像のフレーム周波数を５倍にする。このとき、フレームＮ倍速部３は境界処理部９に対して、５倍速の１２０Ｈｚの画像信号２０３と、繰り返し画像の先頭を示す識別信号としてフィールド識別信号２０６を受け渡す。
【００４１】
ここで、境界処理部９の詳細動作について図９を用いて詳しく説明する。境界処理部９の１２０Ｈｚの５回繰り返し画像信号２０３は、マルチプレクサ２０１に受け渡される。マルチプレクサ２０１は、フィールド識別信号２０６に基づき、５回繰り返し画像信号２０３と、内部生成した黒画像２０４とを、選択出力し、１２０Ｈｚの黒挿入画像信号２０５を得る。
制御部２０２は、フィールド識別信号２０６に基づき、ガンマ変換部６が用いるガンマ変換テーブルをフレーム毎にフレーム毎に制御するためのγ切り替え信号２０７（図１０（ｇ）ではγ切り替え信号１）を生成する。
境界処理部９より出力された１２０Ｈｚの黒挿入画像信号２０５は、ガンマ変換部６により図１０（ｇ）のγ切り替え信号２０７に基づきフレーム毎に制御される正極性（Ｐ）駆動用と負極性（Ｎ）駆動用ガンマテーブルを用いて変換されγ出力データ２０８を得る。
【００４２】
上記の１２０Ｈｚの黒挿入画像信号では、図１０（ｇ）のγ出力データ２０８に示すように、黒フレーム前後の極性反転の規則性により、黒フレームの前後の画像フレームの極性が同極性になってしまう。例えば図１０（ｇ）のγ切り替え信号２０７によりガンマ変換部６が制御される場合、Ａγｎ（Ｎ）→黒（Ｐ）→Ｂγｎ（Ｎ）であり、また、Ｂγｐ（Ｐ）→黒（Ｎ）→Ｃγｐ（Ｐ）であり、黒フレームの前後の画像フレームは連続して負極性か連続して正極性となる。黒フレームでは液晶に電圧がかからず、液晶にとっては外部による劣化因子とはならないものの、負極性と正極性とで対称的でない電圧印加（時間積分）がある場合、イオンが偏り易くなり、焼き付き等の原因となる可能性がある。
そこで、実施例２では、オリジナルの２４Ｈｚの画像信号（第１の画像信号）のフレーム境界位置に対応する１２０Ｈｚの黒挿入画像信号（第２の画像信号）のフレーム境界位
置の前後において、液晶パネルの駆動信号に対して補正を行う。具体的には、液晶パネルの交流駆動における正極性電圧と負極性電圧の差異を小さくする信号処理を行うようにした。具体的には、黒挿入画像信号の黒フレームの前後の画像フレームの駆動電圧の極性が逆になるように液晶パネルの駆動信号を処理する。ガンマ変換部６の用いるガンマ変換テーブルも、単純にフレーム毎に正負を切り替えるのではなく、黒フレームの前後の画像フレームで異なる極性に対応したガンマ変換テーブルを用いるようにする。具体的には、フィールド識別信号２０６に基づきガンマ切り替え信号２０７を反転させ、γ切り替え信号２０９（図１０（ｇ）ではγ切り替え信号２）を生成し、これに基づきガンマ変換テーブルを切り替える。これにより、黒フレームの前後の異なる画像フレームの駆動電圧の極性が異極性になり、例えば、Ａγｎ（Ｎ）→黒（Ｎ）→Ｂγｐ（Ｐ）となり、また、Ｂγｎ（Ｎ）→黒（Ｎ）→Ｃγｐ（Ｐ）となる。
【００４３】
駆動制御部７では、図１０（ｈ）のガンマ変換後の信号の極性と合わせて、正極性及び負極性の駆動電圧が同じになるように交互に切り換えて液晶パネル８に出力する。
以上説明したような制御を行うことで、実施例１よりも簡易な構成で実施例１と同等な効果を得ることが可能になる。
実施例２では、画像処理として、第１の画像信号（図１０（ａ）の入力画像）のフレーム境界位置に対応する第２の画像信号（図１０（ｆ）のフォーマット変換後データ２０３）のフレーム境界位置の前後のフレームのいずれか一方を黒画像とする処理を行う。更に、駆動信号に対する信号処理として、黒画像のフレームの前後のフレームの駆動電圧の極性を逆にする処理を行う。これにより、奇数倍のフレーム周波数倍速処理後のシネマ画像の見えをフィルムモードと同等の見えにすることが可能になるとともに、液晶パネルの交流駆動における正極性電圧と負極性電圧のバランスが崩れるのを抑制でき、高画質と信頼性の両立が可能になる。
【００４４】
（実施例３）
実施例１、２は２４Ｈｚの２Ｄシネマ画像を５倍速表示する液晶表示装置への本発明の適用例であった。実施例３では、２４Ｈｚの３Ｄシネマ画像を５倍速表示する液晶表示装置への本発明の適用例を説明する。
【００４５】
フレーム反転の交流駆動の液晶パネル８による３Ｄシネマ画像の表示と画像処理について、２４Ｈｚの入力画像信号に基づき液晶パネルを９６Ｈｚで駆動して４８Ｈｚの３Ｄ画像表示する場合を例に説明する。
図１１は、本発明の実施例３の液晶表示装置の構成を示すブロック図である。フレームシーケンシャル方式の３Ｄ表示のために、シャッター制御部１２、送信部１３、シャッターメガネ１４の構成が付加されていることが実施例１及び実施例２の構成との相違点である。
【００４６】
シャッター制御部１２は、駆動制御部７の前段から３Ｄシャッター制御用の垂直同期信号とＬ／Ｒ識別信号を受け取り、シャッターメガネ１４の液晶シャッターを開閉するタイミング信号を生成する。送信部１３は、シャッター制御部１２から受け取った液晶シャッターの開閉タイミング信号を、赤外線等を使ってシャッターメガネ１４に送信する。シャッターメガネ１４は、送信部１３からの赤外線での制御信号を受け取り、左目用画像と右目用画像に同期して液晶シャッターを開閉する。
【００４７】
図１２（ａ）の画像入力は、フレーム周波数が２４Ｈｚであり、１つのフレームに３Ｄ画像を構成する左目用画像と右目用画像の情報がパッキングされた３Ｄ画像信号である。この３Ｄ画像信号のパッキング方式には、水平方向の解像度を半分にしたSide by Side方式、垂直方向の解像度を半分にしたTop and Bottom方式、解像度の低下がないFrame Packing方式等が規格化されている。実施例３では、システム制御部１０は、入力部１が検出
した３Ｄ画像信号のパッキング方式の情報を受け取り、フォーマット変換部２に対してパッキング方式に応じた制御用パラメータを書き込む。フォーマット変換部２は、制御用パラメータにより３Ｄ画像信号のパッキング方式（フォーマット）を識別し、そのフォーマットに合った変換を行うことで、左目用画像と右目用画像が倍速でフレーム分離された図１２（ｂ）の画像出力を得る。
【００４８】
図１２（ｃ）、図１２（ｄ）は、フレームＮ倍速部３によりメモリ４及びメモリ５に書き込まれる画像のタイミングを示す。フレームＮ倍速部３は、３Ｄ画像信号の１フレーム毎に、メモリ４とメモリ５に左目用画像（Ｌ画像）と右目用画像（Ｒ画像）を交互に書き込む。図１２（ｅ）、図１２（ｆ）は、フレームＮ倍速部３（この例ではＮ＝２）によりメモリ４及びメモリ５からデータを読み出すタイミングを示す図である。図１２（ｅ）、図１２（ｆ）に示すように、メモリ４に書き込まれたデータを書き込みの周波数の２倍の周波数で２回読み出すことにより、フレームＮ倍速部３は、同じ画像を連続して２回繰り返し出力する。次に、フレームＮ倍速部３は、メモリ５に書き込まれた画像データをフレーム５から書き込みの２倍の周波数で連続して２回読み出す。以上のようにメモリ４及びメモリ５からの読み出しを書き込みの２倍の速度で行い、１フレームの書き込みの間に２フレーム分の画像を読み出すことにより、Ｌ／Ｒ分離された画像信号（図１２（ｂ）、４８Ｈｚ）のフレーム周波数を２倍（９６Ｈｚ）にして出力する。
【００４９】
フレームＮ倍速部３より出力された９６Ｈｚの画像信号は、ガンマ変換部６において正極性（Ｐ）駆動用と負極性（Ｎ）駆動用のガンマテーブルをフレーム毎に切り替えながら変換されることで図１２（ｇ）の出力を得る。
【００５０】
駆動制御部７は、図１２（ｈ）のガンマ変換後の信号の極性と合わせて、正極性及び負極性の駆動電圧が同じになるように交互に切り換えた駆動信号を液晶パネル８に出力する。シャッター制御部１２は、垂直同期信号とＬ／Ｒ識別信号により、図１２（ｉ）のような、Ｈでopen、Ｌでcloseになるシャッターメガネ１４への切り替え信号を送信部１３に
送る。これにより、ユーザはフィルムモードで３Ｄ画像を観察することができる。図１２の例のように、３Ｄ画像を構成するＬ画像を２回出力し、Ｒ画像を２回出力することを３Ｄ画像のフレーム毎に繰り返す倍速画像を生成し、倍速化したフレーム単位でシャッターメガネ１４を開閉する。この目的は、液晶の応答速度に起因して左右の画像が交じって見えてしまう３Ｄクロストークを抑制するためである。
【００５１】
前述したように、３Ｄ画像はＬ画像とＲ画像の２種類あるので、２４Ｈｚから９６Ｈｚにする場合は出力画像信号（図１２（ｇ））の周波数は入力３Ｄ画像信号（図１２（ａ））の偶数倍となる。そのため上記の手法で容易にフィルムモードの見えが得られる３Ｄ表示を行うことができる。しかしながら、２４Ｈｚから１２０Ｈｚにする場合には奇数倍のため上記の手法ではフィルムモードの見えが得られる３Ｄ表示を行うことができない。
【００５２】
以下、実施例３として、２４Ｈｚの３Ｄシネマ画像信号を１２０Ｈｚの画像信号に変換してフィルムモードの見えを実現するとともに、変換した画像信号に基づく液晶パネルの交流駆動において正負の極性の電圧のバランスが崩れないようにする方法を説明する。
【００５３】
図１３（ａ）の画像入力は、２４Ｈｚの３Ｄシネマ画像信号である。フォーマット変換部２において、Ｌ／Ｒがフレーム分離された倍速の画像出力を得る（図１３（ｂ））。図１３（ｃ）、図１３（ｄ）は、フレームＮ倍速部３によりメモリ４及びメモリ５に書き込まれる画像のタイミングを示す。フレームＮ倍速部３は、１フレーム毎に、メモリ４とメモリ５に、Ｌ画像とＲ画像を交互に書き込む。ここまでは、前述した図１２と同様な処理である。図１３（ｅ）、図１３（ｆ）は、フレームＮ倍速部３（この例ではＮ＝２．５）によりメモリ４及びメモリ５からデータを読み出すタイミングを示す図である。
【００５４】
図１３（ｅ）、図１３（ｆ）に示すように、メモリ４に書き込まれたＬ画像を書き込みの周波数の２．５倍の周波数で、連続して２回又は３回読み出す。２回読み出しと３回読み出しは交互に行われる。これにより、同じＬ画像を連続して２回又は３回繰り返し出力する（２―３プルダウン）。次にメモリ５に書き込まれたＲ画像を図１３（ｅ）のメモリ４からの読み出しが終了した時点で開始し、連続して３回又は２回読み出す。３回読み出しと２回読み出しは交互に行われる。これにより、同じＲ画像を連続して３回又は２回繰り返し出力する（３―２プルダウン）。
【００５５】
以上のように、メモリ４及びメモリ５からの読み出しを２．５倍の速度で行い、３Ｄ入力画像信号をＬ／Ｒ分離した２倍速の画像信号（図１２（ｂ））１フレームの書き込みの期間に２．５フレーム分の画像を読み出す。これにより、３Ｄ入力画像信号のフレーム周波数を５倍にした１２０Ｈｚ画像出力３０１が得られる。また、それと同時に、フレームＮ倍速部３は、Ｌ／Ｒ識別信号３０２を境界処理部９に受け渡す。図１３の例では、Ｌ／Ｒ識別信号は、Ｌ画像はＬｏ、Ｒ画像はＨｉとしている。境界処理部９は、Ｌ／Ｒ識別信号３０２から境界識別信号３０３を生成する。境界処理部９は、Ｌ／Ｒ識別信号３０２のＲ期間が３回連続した場合を検知して、その前後フレームに境界識別信号３０３をアサートすることにより、境界識別信号３０３を生成する。フォーマット変換後のデータ３０１は、この境界識別信号３０３によってＨ期間のみ黒が挿入されるように制御され、１２０Ｈｚ黒挿入画像出力３０４を得る。この画像処理は、２４Ｈｚの３Ｄ入力画像信号のフレーム境界位置に対応する、１２０Ｈｚの出力画像信号のフレーム境界位置の前後のフレームを黒画像とする処理である。
【００５６】
ガンマ変換部６は、γ切り替え信号３０５により正極性（Ｐ）駆動用と負極性（Ｎ）駆動用それぞれのガンマテーブルをフレーム毎に切り替えながらガンマ変換することで図１３（ｇ）の出力を得る。
【００５７】
駆動制御部７では、図１３（ｈ）のガンマ変換後の信号の極性と合わせて、正極性及び負極性の駆動電圧が同じになるように交互に切り換えて液晶パネル８に出力する。シャッター制御部１２は、垂直同期信号とＬ／Ｒ識別信号により、例えば、図１３（ｉ）のような、Ｈでopen、Ｌでcloseになるようなシャッターメガネ１４への切り替え信号を送信部
１３に送ることにより、フィルムモードで３Ｄ画像を見ることができる。
【００５８】
実施例３では、３Ｄ入力画像信号の１フレームのＬ画像に対応する１又は複数のＬ画像と、３Ｄ入力画像信号の１フレームのＲ画像に対応する１又は複数のＲ画像とが、Ｌ／Ｒ画像フレームのフレーム数の合計が奇数となるように連続する画像信号を生成する。そして３Ｄ入力画像信号（２４Ｈｚ）のフレーム境界位置に対応する出力画像信号（１２０Ｈｚ）のフレーム境界位置の前後フレームを黒画像とする画像処理を行う。実施例３では、この画像処理を、３Ｄ入力画像信号のフレーム周波数（２４Ｈｚ）の１／２の周波数（１２Ｈｚ）で行っている。
以上の処理を行うことにより、２４Ｈｚの３Ｄシネマ画像信号を１２０Ｈｚの奇数倍速信号に変換して液晶パネルを交流駆動する場合でも、交流駆動の正負極性電圧のバランスが崩れるのを抑制しつつ、フィルムモードと同等な高画質表示行うことが可能になる。
【００５９】
（実施例４）
実施例４では、実施例３で説明した境界処理部９の変形例について、図１４のタイミング図を用いて異なる部分を中心に説明する。
境界処理部９は、Ｌ／Ｒ識別信号３０２から境界識別信号４０１を生成する。境界処理部９は、実施例４では、Ｌ／Ｒ識別信号３０２の立ち下がりの前フレームに境界識別信号４０１をアサートするようにして境界識別信号４０１を生成する。フォーマット変換後の
データ３０１は、この境界識別信号４０１によってＨ期間のみ黒が挿入されるように制御され、１２０Ｈｚの黒挿入画像信号４０２を得る。この画像処理は、２４Ｈｚの３Ｄ入力画像信号のフレーム境界位置に対応する、１２０Ｈｚの出力画像信号のフレーム境界位置の前のフレームのみを黒画像とする処理である。これは一例であり、例えば、２４Ｈｚの３Ｄ入力画像信号のフレーム境界位置に対応する、１２０Ｈｚの出力画像信号のフレーム境界位置の後のフレームのみを黒画像とする処理を行っても良い。
【００６０】
ガンマ変換部６において、γ切り替え信号４０３により正極性（Ｐ）駆動用と負極性（Ｎ）駆動用それぞれのガンマテーブルの使用をフレーム毎に制御しガンマ変換することで、図１４（ｇ）の出力を得る。ここで、γ切り替え信号４０３は、境界識別信号４０１に基づき、２４Ｈｚ周期でガンマ切り替え信号を反転させることで、黒フレーム前後の異なる画像フレームの駆動電圧の極性が異極性になるように補正する。この目的は実施例２で説明した内容と同じである。
【００６１】
駆動制御部７では、図１４（ｈ）のガンマ変換後の信号の極性と合わせて、正極性及び負極性の駆動電圧が同じになるように交互に切り換えて液晶パネル８に出力する。シャッター制御部１２は、垂直同期信号とＬ／Ｒ識別信号により、例えば、図１４（ｉ）のような、Ｈでopen、Ｌでcloseになるようなシャッターメガネ１４への切り替え信号を送信部
１３に送ることにより、フィルムモードで３Ｄ画像を見ることができる。
【００６２】
実施例３とは異なる方法でも、２４Ｈｚの３Ｄシネマ画像信号を１２０Ｈｚの奇数倍速信号に変換して液晶パネルを交流駆動する場合でも、交流駆動の正負極性電圧のバランスが崩れるのを抑制しつつ、フィルムモードと同等な高画質表示行うことが可能になる。
【００６３】
（実施例５）
実施例１から実施例４は、入力画像信号として特定のフォーマット（シネマ画像）が入力された場合を例に説明した。実施例５は、システム制御部１０が介在することで、様々なフォーマットの画像信号の入力に対応する例について説明する。
図１５のフローチャートは、システム制御部１０による処理フローを示している。電源投入後、システム制御部１０はＳ１０１で初期パラメータを各機能ブロックへ送信する。この初期パラメータは、入力フォーマットによらず共通に使用可能なパラメータとする。例えば、ガンマ変換部６で使用する正極性（Ｐ）駆動用と負極性（Ｎ）駆動用それぞれのガンマ変換のテーブルデータ、液晶パネル８を駆動するための駆動制御部７に設定する駆動制御パラメータ等である。
【００６４】
Ｓ１０２では、システム制御部１０は、入力部１から入力画像信号のフォーマット情報を検知する。入力フォーマットを検知した場合、Ｓ１０３に進む。初期化時は予め決められたフォーマットで駆動表示するものとしてＳ１０３に進む。
Ｓ１０３では、システム制御部１０は、検知した入力フォーマットで駆動表示するために、不揮発性メモリから表示パラメータテーブルを取得し、必要なパラメータの検索処理を行う。
Ｓ１０４では、システム制御部１０は、取得したパラメータを、システムバス１１を通じて各機能ブロックに設定し、又は更新する。
Ｓ１０５では、システム制御部１０は、電源オフの要求があるまでは、Ｓ１０２に戻り、入力フォーマットの変更を常に検知できるようにしている。
【００６５】
以上の基本的なフォーマット変更処理フローを実装し、前述した表示パラメータテーブルに、実施例１から実施例４まで説明したような駆動を含めた最適なパラメータを予め設定しておくことが実施例５の特徴となる。このことにより、様々な入力フォーマットに対して、フレーム反転した交流駆動のＤＣバランスの確保と、高画質表示を両立した駆動表
示が可能になる。
例えば、入力画像信号のフレーム周波数の奇数倍のフレーム周波数の画像信号を生成する処理と、偶数倍のフレーム周波数の画像信号を生成する処理とを切り替え可能な構成の場合、実施例１〜４の処理は奇数倍駆動の場合のみ実行するように制御できる。
【００６６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６７】
３：フレームＮ倍速部、７：駆動制御部、８：液晶パネル、９：境界処理部、１０：システム制御部
【図１】
2017102190.tif 000003
【図２】
2017102190.tif 000004
【図３】
2017102190.tif 000005
【図４】
2017102190.tif 000006
【図５】
2017102190.tif 000007
【図６】
2017102190.tif 000008
【図７】
2017102190.tif 000009
【図８】
2017102190.tif 000010
【図９】
2017102190.tif 000011
【図１０】
2017102190.tif 000012
【図１１】
2017102190.tif 000013
【図１２】
2017102190.tif 000014
【図１３】
2017102190.tif 000015
【図１４】
2017102190.tif 000016
【図１５】
2017102190.tif 000017